(57)【要約】【課題】パチンコ機等の遊技機において、興趣の飛躍的な向上を図る。【解決手段】パチンコ機１の遊技盤５には、その略中央部において可変表示装置１４が取着されている。可変表示装置１４は、液晶表示部２０と、該液晶表示部２０を囲むようにして設けられたセンターフレーム２１とを有している。センターフレーム２１には、その下部においてステージ部が取着されるとともに、右側部には透明又は半透明の流路カバーが取着され、当該流路カバーの背面側においてステージ部へ遊技球Ｂを案内可能な球案内流路が形成されている。流路カバーには前記球案内流路の一区間に沿って延び、かつ、並行した複数のレンズ部が設けられており、遊技者は、当該レンズ部を介して視認態様が変化しつつ球案内流路を通過していく遊技球Ｂを視認することができる。【選択図】　　　　　図１
2004065721.tif 000002
【特許請求の範囲】
【請求項１】
遊技球を発射する発射手段と、
発射された遊技球が案内される所定の遊技領域を有する遊技盤と、
前記遊技領域内において、遊技球を所定位置へと案内可能な球案内流路とを備えた遊技機であって、
前記球案内流路の少なくとも一区間において、当該一区間を通過する遊技球を、その形状及び大きさのうちの少なくとも一方の視認態様を変化させつつ遊技者に視認させることのできる少なくとも１つの可変視認手段を備えたことを特徴とする遊技機。
【発明の詳細な説明】
【０００１】
【発明の属する技術分野】
本発明は、パチンコ機等の遊技機に関するものである。
【０００２】
【従来の技術及び発明が解決しようとする課題】
従来、遊技機の一種として、所定の遊技領域を有した遊技盤を備えたパチンコ機が知られている。パチンコ機では、遊技盤面上を流下する遊技球の挙動を遊技者に視認させることで、遊技者の興趣の向上が図られている。
【０００３】
近年、遊技球を所定位置まで案内するための球案内流路が、例えば遊技盤面上や表示装置等の各種装置に設けられたパチンコ機も見受けられる。球案内流路は、遊技球の誘導性を高めるため、その入口部から出口部までが筒状に形成されたものが多い。
【０００４】
この場合、球案内流路を通過する遊技球が遊技者にとって視認困難となり、遊技者に対して不安感を抱かせるおそれがあるとともに、遊技球の挙動を楽しむ遊技者にとっては興趣が低減してしまうおそれがあった。
【０００５】
このような不具合を解消するために、球案内流路の一部を開口させて視認性を高めている遊技機もある。
【０００６】
しかし、単に上記構成とするだけでは、遊技球の視認性を高めることはできても、遊技球の挙動を楽しむ点において興趣に乏しいものであった。
【０００７】
本発明は、上述した問題に鑑みてなされたものであって、その目的は、遊技球の視認性を高めるとともに、興趣の飛躍的な向上を図ることのできる遊技機を提供することにある。
【０００８】
【課題を解決するための手段及び発明の効果】
上記の目的を達成するために有効な手段を以下に示す。なお、必要に応じてその作用等についても説明する。
【０００９】
手段１．遊技球を発射する発射手段と、
発射された遊技球が案内される所定の遊技領域を有する遊技盤と、
前記遊技領域内において、遊技球を所定位置へと案内可能な球案内流路とを備えた遊技機であって、
前記球案内流路の少なくとも一区間において、当該一区間を通過する遊技球を、その形状及び大きさのうちの少なくとも一方の視認態様を変化させつつ遊技者に視認させることのできる少なくとも１つの可変視認手段を備えたことを特徴とする遊技機。
【００１０】
上記手段１によれば、球案内流路を通過する遊技球を遊技者に視認しやすくするとともに、その形状及び大きさのうちの少なくとも一方を変化させつつ視認させることができる。さらに、遊技球の視認態様が変化していくため遊技者の注目を引きやすく、遊技球が球案内流路を通過していることを遊技者に認知させやすくなる。結果として、視認態様を変化させつつ通過していく遊技球を、遊技者に視認させることにより、遊技者にとっての興趣の飛躍的な向上を図ることができる。
【００１１】
手段２．手段１において、前記可変視認手段は、遊技球が通過していくにつれ、遊技球の視認態様が変化度合いの大きなものから小さなものへ変化していくように遊技者に視認されるように構成されていることを特徴とする遊技機。なお、「遊技球の視認態様が変化度合いの大きなものから小さなものへ変化していく」ことには、「遊技球の大きさが実物より大きく見える視認態様から略実物大の大きさに見える視認態様へと変化していく」ことが含まれる。又は、「遊技球の大きさが実物より小さく見える視認態様から略実物大の大きさに見える視認態様へと変化していく」ことが含まれることとしてもよい。このようにすれば、仮に、可変視認手段が球案内流路の少なくとも導出部近傍に設けられている場合において、遊技球の視認態様が略実物大の大きさに見える態様へと変化していき、実物大の大きさに戻った状態で遊技球Ｂが球案内流路から導出されるように遊技者に視認させることが可能となる。この場合、球案内流路の内外における遊技球の視認態様の差が低減されるため、遊技者に対して違和感を極力感じさせないようにすることができる。
【００１２】
手段３．手段１又は手段２において、前記球案内流路の少なくとも一区間を覆う流路カバーを備え、
当該流路カバーは、前記可変視認手段として、前記球案内流路に沿って形成された内部視認性を有するレンズ部を備えていることを特徴とする遊技機。
【００１３】
上記手段３によれば、流路カバーに可変視認手段となるレンズ部を備えていることにより、部品点数の増大を防止することができる。なお、「内部視認性を有する」ことには、「透明又は半透明に構成されている」ことが含まれる。
【００１４】
手段４．手段３において、前記レンズ部は、前記球案内流路の全区間又はほぼ全区間に沿って設けられていることを特徴とする遊技機。
【００１５】
上記手段４によれば、より長い区間、遊技球の動きを遊技者に視認可能とさせるとともに、連続的に変化する視認態様を遊技者に視認可能とさせることができ、さらなる興趣の向上につながる。
【００１６】
手段５．手段１又は手段２において、前記球案内流路の少なくとも一区間を覆う流路カバーを備え、
前記可変視認手段は、前記流路カバーにおいて、前記球案内流路の少なくとも一区間に沿って延設され、かつ、並行した複数の内部視認性を有するレンズ部であって、
前記複数のレンズ部のうちの一レンズ部に沿って案内される遊技球が、他のレンズ部に沿って案内されるように、前記一レンズ部から前記他のレンズ部へ遊技球を誘導可能な誘導手段を備えたことを特徴とする遊技機。
【００１７】
上記手段５によれば、遊技球が段階的に複数のレンズ部に沿って案内されるため、遊技者は多様な遊技球の挙動を楽しむことができ、さらなる興趣の向上を図ることができる。
【００１８】
手段６．手段３乃至手段５のいずれかにおいて、前記レンズ部は、その長手方向に対する横断面形状が凸状となる凸レンズであって、前記凸レンズの表面の曲率が前記球案内流路の上流部より下流部に向かうにつれ小さくなっていくように構成されていることを特徴とする遊技機。
【００１９】
上記手段６によれば、遊技球の大きさが徐々に小さく（実物大の大きさに）なっていくように遊技者に視認されることとなる。なお、前記レンズ部には、凸レンズの表面の曲率がほぼ無に等しい略平面状の部分が含まれることとしてもよい。この場合、当該部分を介して視認される遊技球はほぼ実物大の大きさに視認されることとなる。仮に、上記レンズ部が球案内流路の少なくとも導出部近傍に設けられている場合には、遊技球の視認態様が略実物大の大きさに見える態様へと変化していき、実物大の大きさに戻った状態で遊技球Ｂが球案内流路から導出されるように遊技者に視認させることが可能となる。この場合、球案内流路の内外における遊技球の視認態様の差が低減されるため、遊技者に対して違和感を極力感じさせないようにすることができる。
【００２０】
手段７．遊技球を発射する発射手段と、
発射された遊技球が案内される所定の遊技領域を有する遊技盤と、
前記遊技領域内において、遊技球を所定位置へと案内可能な球案内流路と、
当該球案内流路の少なくとも一区間を覆う流路カバーとを備えた遊技機であって、
前記流路カバーは、前記球案内流路の少なくとも一区間に沿って形成された内部視認性を有するレンズ部を備え、
前記レンズ部は、その長手方向に対する横断面形状が凸状となる凸レンズであって、前記凸レンズの表面の曲率が前記球案内流路の上流部より下流部に向かうにつれ小さくなっていくように構成されていることを特徴とする遊技機。
【００２１】
上記手段７によれば、球案内流路を通過する遊技球を遊技者に視認できるようにするとともに、その大きさを実物大より大きなものから徐々に小さく（実物大の大きさに）なっていくように、遊技球の視認態様を変化させつつ遊技者に視認させることができる。仮に、上記レンズ部が球案内流路の少なくとも導出部近傍に設けられている場合には、遊技球の視認態様が略実物大の大きさに見える態様へと変化していき、実物大の大きさに戻った状態で遊技球Ｂが球案内流路から導出されるように遊技者に視認させることが可能となる。この場合、球案内流路の内外における遊技球の視認態様の差が低減されるため、遊技者に対して違和感を極力感じさせないようにすることができる。さらに、遊技球の視認態様が変化していくため遊技者の注目を引きやすく、遊技球が球案内流路を通過していることを遊技者に認知させやすくなる。結果として、視認態様を変化させつつ通過していく遊技球を、遊技者に視認させることにより、遊技者にとっての興趣の飛躍的な向上を図ることができる。なお、前記レンズ部には、凸レンズの表面の曲率がほぼ無に等しい略平面状の部分が含まれることとしてもよい。この場合、当該部分を介して視認される遊技球はほぼ実物大の大きさに視認されることとなる。なお、「内部視認性を有する」ことには、「透明又は半透明に構成されている」ことが含まれる。
【００２２】
手段８．手段７において、前記レンズ部は、前記球案内流路の全区間又はほぼ全区間に沿って設けられていることを特徴とする遊技機。
【００２３】
上記手段８によれば、より長い区間、遊技球の動きを遊技者に視認可能とさせるとともに、連続的に変化する視認態様を遊技者に視認可能とさせることができ、さらなる興趣の向上につながる。
【００２４】
手段９．遊技球を発射する発射手段と、
発射された遊技球が案内される所定の遊技領域を有する遊技盤と、
前記遊技領域内において、遊技球を所定位置へと案内可能な球案内流路と、
当該球案内流路の少なくとも一区間を覆う流路カバーとを備えた遊技機であって、
前記流路カバーは、前記球案内流路の少なくとも一区間に沿って延設され、かつ、並行した複数の内部視認性を有するレンズ部を備え、
前記各レンズ部は、その長手方向に対する横断面形状が凸状となる凸レンズであって、前記凸レンズの表面の曲率が前記球案内流路の上流部より下流部に向かうにつれ小さくなっていくように構成され、
前記複数のレンズ部のうちの一レンズ部に沿って案内される遊技球が、他のレンズ部に沿って案内されるように、前記一レンズ部から前記他のレンズ部へ遊技球を誘導可能な誘導手段を備えたことを特徴とする遊技機。
【００２５】
上記手段９によれば、球案内流路を通過する遊技球を遊技者に視認できるようにするとともに、その大きさを実物大より大きなものから徐々に小さく（実物大の大きさに）なっていくように、遊技球の視認態様を変化させつつ遊技者に視認させることができる。仮に、上記レンズ部が球案内流路の少なくとも導出部近傍に設けられている場合には、遊技球の視認態様が略実物大の大きさに見える態様へと変化していき、実物大の大きさに戻った状態で遊技球Ｂが球案内流路から導出されるように遊技者に視認させることが可能となる。この場合、球案内流路の内外における遊技球の視認態様の差が低減されるため、遊技者に対して違和感を極力感じさせないようにすることができる。さらに、遊技球の視認態様が変化していくため遊技者の注目を引きやすく、遊技球が球案内流路を通過していることを遊技者に認知させやすくなる。結果として、視認態様を変化させつつ通過していく遊技球を、遊技者に視認させることにより、遊技者にとっての興趣の飛躍的な向上を図ることができる。なお、前記レンズ部には、凸レンズの表面の曲率がほぼ無に等しい略平面状の部分が含まれることとしてもよい。この場合、当該部分を介して視認される遊技球はほぼ実物大の大きさに視認されることとなる。また、遊技球が段階的に複数のレンズ部に沿って案内されるため、遊技者は多様な遊技球の挙動を楽しむことができ、さらなる興趣の向上を図ることができる。なお、「内部視認性を有する」ことには、「透明又は半透明に構成されている」ことが含まれる。
【００２６】
手段１０．手段３乃至手段９のいずれかにおいて、前記レンズ部は、前記球案内流路の上流部より下流部に向かうにつれ、前記球案内流路を通過する遊技球との距離が短くなるように構成されていることを特徴とする遊技機。
【００２７】
上記手段１０によれば、遊技球とレンズ部の焦点との位置関係の変化によって、より確実に遊技球の大きさが徐々に小さくなっていくように遊技者に視認させることが可能となる。この場合、レンズ部の曲率を長手方向に沿って変化させずとも、遊技球の視認態様を変化させることが可能となるため、レンズ部の構成をより簡素化し、その成形をより容易に行うことができる。
【００２８】
手段１１．遊技球を発射する発射手段と、
発射された遊技球が案内される所定の遊技領域を有する遊技盤と、
前記遊技領域において、遊技球を所定位置へと案内可能な球案内流路と、
当該球案内流路の少なくとも一区間を覆う流路カバーとを備えた遊技機であって、
前記流路カバーは、前記球案内流路の少なくとも一区間に沿って形成された内部視認性を有するレンズ部を備え、
前記レンズ部は、その長手方向に対する横断面形状が凸状となる凸レンズであって、前記球案内流路の上流部より下流部に向かうにつれ、前記球案内流路を通過する遊技球との距離が短くなるように構成されていることを特徴とする遊技機。
【００２９】
上記手段１１によれば、球案内流路を通過する遊技球を遊技者に視認できるようにするとともに、遊技球とレンズ部の焦点との位置関係の変化によって、その大きさを実物大より大きなものから徐々に小さく（実物大の大きさに）なっていくように、遊技球の視認態様を変化させつつ遊技者に視認させることができる。仮に、上記レンズ部が球案内流路の少なくとも導出部近傍に設けられている場合には、遊技球の視認態様が略実物大の大きさに見える態様へと変化していき、実物大の大きさに戻った状態で遊技球Ｂが球案内流路から導出されるように遊技者に視認させることが可能となる。この場合、球案内流路の内外における遊技球の視認態様の差が低減されるため、遊技者に対して違和感を極力感じさせないようにすることができる。さらに、遊技球の視認態様が変化していくため遊技者の注目を引きやすく、遊技球が球案内流路を通過していることを遊技者に認知させやすくなる。結果として、視認態様を変化させつつ通過していく遊技球を、遊技者に視認させることにより、遊技者にとっての興趣の飛躍的な向上を図ることができる。なお、「内部視認性を有する」ことには、「透明又は半透明に構成されている」ことが含まれる。この場合、レンズ部の曲率を長手方向に沿って変化させずとも、遊技球の視認態様を変化させることが可能となるため、レンズ部の構成をより簡素化し、その成形をより容易に行うことができる。
【００３０】
手段１２．手段１１において、前記レンズ部は、前記球案内流路の全区間又はほぼ全区間に沿って設けられていることを特徴とする遊技機。
【００３１】
上記手段１２によれば、より長い区間、遊技球の動きを遊技者に視認可能とさせるとともに、連続的に変化する視認態様を遊技者に視認可能とさせることができ、さらなる興趣の向上につながる。
【００３２】
手段１３．遊技球を発射する発射手段と、
発射された遊技球が案内される所定の遊技領域を有する遊技盤と、
前記遊技領域において、遊技球を所定位置へと案内可能な球案内流路と、
当該球案内流路の少なくとも一区間を覆う流路カバーとを備えた遊技機であって、
前記流路カバーは、前記球案内流路の少なくとも一区間に沿って延設され、かつ、並行した複数の内部視認性を有するレンズ部を備え、
前記各レンズ部は、その長手方向に対する横断面形状が凸状となる凸レンズであって、前記球案内流路の上流部より下流部に向かうにつれ、前記球案内流路を通過する遊技球との距離が短くなるように構成され、
前記複数のレンズ部のうちの一レンズ部に沿って案内される遊技球が、他のレンズ部に沿って案内されるように、前記一レンズ部から前記他のレンズ部へ遊技球を誘導可能な誘導手段を備えたことを特徴とする遊技機。
【００３３】
上記手段１３によれば、球案内流路を通過する遊技球を遊技者に視認できるようにするとともに、遊技球とレンズ部の焦点との位置関係の変化によって、その大きさを実物大より大きなものから徐々に小さく（実物大の大きさに）なっていくように、遊技球の視認態様を変化させつつ遊技者に視認させることができる。仮に、上記レンズ部が球案内流路の少なくとも導出部近傍に設けられている場合には、遊技球の視認態様が略実物大の大きさに見える態様へと変化していき、実物大の大きさに戻った状態で遊技球Ｂが球案内流路から導出されるように遊技者に視認させることが可能となる。この場合、球案内流路の内外における遊技球の視認態様の差が低減されるため、遊技者に対して違和感を極力感じさせないようにすることができる。さらに、遊技球の視認態様が変化していくため遊技者の注目を引きやすく、遊技球が球案内流路を通過していることを遊技者に認知させやすくなる。結果として、視認態様を変化させつつ通過していく遊技球を、遊技者に視認させることにより、遊技者にとっての興趣の飛躍的な向上を図ることができる。また、遊技球が段階的に複数のレンズ部に沿って案内されるため、遊技者は多様な遊技球の挙動を楽しむことができ、さらなる興趣の向上を図ることができる。なお、「内部視認性を有する」ことには、「透明又は半透明に構成されている」ことが含まれる。この場合、レンズ部の曲率を長手方向に沿って変化させずとも、遊技球の視認態様を変化させることが可能となるため、レンズ部の構成をより簡素化し、その成形をより容易に行うことができる。
【００３４】
手段１４．手段３乃至手段１３のいずれかにおいて、前記レンズ部は、前記遊技機の正面から見て、前記球案内流路の上流部より下流部に向かうにつれ先細りしているように構成されていることを特徴とする遊技機。
【００３５】
上記手段１４によれば、レンズ部が先細りしているため、遊技球が拡大され得る限界幅も下流部に向かうにつれ徐々に短くなっていく。従って、より確実に遊技球の大きさが徐々に小さくなっていくように遊技者に視認させることが可能となる。
【００３６】
手段１５．手段３乃至手段１４のいずれかにおいて、前記レンズ部は、前記遊技機の正面から見て湾曲していることを特徴とする遊技機。
【００３７】
上記手段１５によれば、レンズ部が湾曲していることにより、遊技者の見る角度によって遊技球の視認態様が変化する。結果として、遊技球の視認態様が多様化され、さらなる興趣の向上へとつながる。
【００３８】
手段１６．手段１乃至手段１５のいずれかにおいて、前記遊技領域において特定遊技部材を備え、
前記特定遊技部材は、遊技球の転動可能な球転動部と、前記球案内流路とを備え、
前記球案内流路は、前記遊技領域を流下する遊技球を前記球転動部へと案内可能に構成されていることを特徴とする遊技機。
【００３９】
上記手段１６によれば、上記球案内流路の構成により、球転動部へ遊技球が案内されてくることを遊技者に対して報知可能となり、球転動部における遊技球の挙動を楽しみにしている遊技者の期待感を高めることができる。なお、前記特定遊技部材には、識別情報を変動表示可能な表示器の周囲を囲むセンターフレームが含まれる。
【００４０】
手段１７．手段１乃至手段１６のいずれかにおいて、前記遊技機はパチンコ機であること。中でも、パチンコ機の基本構成としては、操作ハンドルを備えておりそのハンドル操作に応じて遊技球を所定の遊技領域に発射させ、遊技球が遊技領域内の所定の入賞手段に入賞することに基づいて、特定条件が成立した場合には特別遊技価値が付与される。
【００４１】
【発明の実施の形態】
以下、パチンコ遊技機（以下、単に「パチンコ機」という）の一実施の形態を、図面に基づいて詳細に説明する。
【００４２】
図１に示すように、パチンコ機１は、外枠２と、該外枠２の前部に設けられ外枠２の一側部にて開閉可能に支持された前面枠３とを備えている。
【００４３】
前面枠３の前面側にはガラス扉枠４が開閉自在に設けられている。前面枠３の後側（ガラス扉枠４の奥、外枠２の内側）には、遊技盤５が着脱可能に装着されている。
【００４４】
ガラス扉枠４の下方には、遊技球Ｂを貯留するための球受皿としての上皿６が設けられている。また、前面枠３の前面下部には、ほぼ中央部において球受皿としての下皿７が設けられている。下皿７の側方には、遊技球発射用ハンドル８が設けられている。ハンドル８は図示しない発射手段としての遊技球発射装置に連結されており、遊技者がハンドル８を回転させることにより、遊技球Ｂが遊技球発射装置から発射される。
【００４５】
遊技盤５には、ルータ加工が施されることによって複数の開口部が形成されており、各開口部には、普通入賞チャッカー１１、可変入賞装置１２、作動チャッカー１３、可変表示装置１４、スルーチャッカー１５等が配設されている。
【００４６】
遊技盤５の一側部には、遊技球発射装置によって発射される遊技球Ｂを遊技盤５の上部に案内する内レール１６ａ及び外レール１６ｂが設けられている。内レール１６ａの下端部付近において、遊技盤５には遊技球Ｂを導出するアウト口１７が形成されている。そして、遊技盤５の下部に流下した遊技球Ｂの多くは、このアウト口１７を通って図示しない球排出路へと案内される。本実施の形態では、遊技盤５のうち内レール１６ａ及び外レール１６ｂによって囲まれ、可変表示装置１４等が配設された部分が、遊技球Ｂが流下可能な遊技領域となっている。
【００４７】
さて、可変表示装置１４は、表示器としての液晶表示部２０と、該液晶表示部２０を囲むように設けられた特定遊技部材としてのセンターフレーム２１とを備えている。
【００４８】
液晶表示部２０には、例えば左図柄列、中図柄列及び右図柄列の３つの表示列が表示される。各図柄列は識別情報としての複数の図柄によって構成されており、これら図柄が各図柄列毎にスクロールするように可変表示される。
【００４９】
より詳しくは、可変表示装置１４の下方に設けられた作動チャッカー１３に遊技球Ｂが入球することに基づいて、可変表示装置１４の液晶表示部２０の図柄が可変表示される。そして、停止された図柄の組合せが予め設定した特定の組合せとなった場合には特別遊技価値が付与される。すなわち、大当たり状態が発生し、可変入賞装置１２の大入賞口が所定の開放状態となり（具体的には所定時間、所定回数だけ開く）、遊技球Ｂが入賞しやすい状態になる。なお、可変入賞装置１２は、通常、遊技球Ｂが入賞できない状態又は入賞し難い状態になっている。
【００５０】
また、周知のとおり、前記普通入賞チャッカー１１、可変入賞装置１２、作動チャッカー１３に遊技球Ｂが入球することに基づいて、上皿６又は下皿７に対し所定数の景品球（遊技球Ｂ）が払い出される。また、遊技盤５には、遊技球Ｂの流下方向を適宜分散、調整等するために多数の釘（但し便宜上、符号を省略する）が植設されているとともに、風車等の各種部材（役物）が配設されている。上記釘や風車等によって本実施の形態における案内手段が構成される。
【００５１】
次に、上記センターフレーム２１について図２乃至図４を参照しつつ説明する。センターフレーム２１は、中央部が前後方向に貫通した前ベース枠２２及び後ベース枠２３を備え、全体として枠体形状となっている。
【００５２】
後ベース枠２３の中央部には前記液晶表示部２０に対応した略矩形状の窓枠部２４が形成されている。窓枠部２４の周囲には、その前端部から遊技盤５に沿って略平板状の上板部２５、右板部２６、左板部２７及び下板部２８が延出されている。
【００５３】
上板部２５は、その左側周縁部が窓枠部２４の左上端部近傍から上方に向かって延び、上側周縁部が窓枠部２４の左端部近傍から左右方向略中央部までの範囲にかけてほぼ窓枠部２４の上辺部に沿って形成され、右側周縁部が前記上側周縁部の右端部近傍から窓枠部２４の右上端部近傍に向けて下方に傾斜しているように形成されている。
【００５４】
右板部２６は、その上側周縁部が上板部２５の右側周縁部から連なって右方向に向かって下方へ傾斜し、右側周縁部が上側周縁部の右端部から窓枠部２４の右下端部近傍に向けて緩やかに湾曲しているように形成され、全体として下方に向かうにつれ先細りした形状となっている。
【００５５】
左板部２７は、その上側周縁部が窓枠部２４左上端部近傍から左方向に向かって延び、左側周縁部が窓枠部２４の上端部近傍から上下方向略中央部をやや過ぎた位置までの範囲においてほぼ窓枠部２４の左辺部に沿って形成され、下側周縁部が左側周縁部の下端部から窓枠部２４の左下端部近傍に向けて緩やかに湾曲しているように形成されている。
【００５６】
下板部２８の下側周縁部は左右両板部２６，２７の周縁部から連なるように下に凸の略円弧形状となっている。
【００５７】
さて、右板部２６には前後方向に貫通した右開口部３０が設けられている。右開口部３０は右板部２６のに対しかなりの領域を占め、その形状も右板部２６と略同一形状となっている。右開口部３０には当該右開口部３０と略相似形状の右透光パネル３１が取着されている。右透光パネル３１は、略同一形状の前パネル３２、後パネル３３及び保護パネル３４が重ね合わされた複層構造となっている。重ね合わせの順序は前方より保護パネル３４、前パネル３２、後パネル３３の順となっている。各パネル３２，３３，３４は、本実施の形態においては透光性を有する透明又は半透明の樹脂により形成されている。但し、前パネル３２、後パネル３３は、透光性を有する部材で有れば、樹脂に限らず他の材質のもの例えばガラス等でもよい。
【００５８】
図５に示すように、前パネル３２の前面側（光の出射面側）、後パネル３３の背面側（光の入射面側）には、それぞれ複数の直線状凸部３５が設けられている。本実施の形態では、前後両パネル３２，３３における各直線状凸部３５はその断面形状が略半円形状をなし、所定方向に沿って延びている。詳しくは、前パネル３２では、鉛直方向に対して斜め４５度左下がりの傾きに沿って延びた複数の直線状凸部３５が列状に並んでいる。後パネル３３では、鉛直方向に対して斜め４５度右下がりの傾きに沿って延びた複数の直線状凸部３５が列状に並んでいる。従って、前後両パネル３２，３３が重ね合わされた状態では、前後両パネル３２，３３に設けられた直線状凸部３５は互いに略直交した状態となる。なお、前後両パネル３２，３３における直線状凸部３５の配列ピッチは後述するＬＥＤ４３の大きさと比較してより微細なものとなっている。
【００５９】
同様に、左板部２７にも左開口部３７が設けられ、当該左開口部３７には左透光パネル３８が取着されている。なお、左透光パネル３８の構成は、上記右透光パネル３５と略同一のためその説明を省略する。
【００６０】
一方、後ベース枠２３の背面側には各種電飾部材が取着されている。詳しくは、右板部２６の背面側には電飾部材を配設するための右側部取付部材４０が取着されている。右側部取付部材４０は、電飾部材が係止される係止板４１と、当該係止板４１から前方に向けて突出した複数の支柱部４２とを有している。右側部取付部材４０は、各支柱部４２の先端が右板部２６の背面に当接した状態で所定の固定手段により固定されている。従って、電飾部材が前記右透光パネル３１から所定間隔をおいて配置されることとなる。本実施の形態では、電飾部材として、係止板４１の前面側において複数のＬＥＤ４３を有する右側部ＬＥＤ基板４４が取着されている。
【００６１】
一方、左板部２７の背面側にも同様に、左側部ＬＥＤ基板４５が左側部取付部材４６を介して取着されている。従って、左側部ＬＥＤ基板４５も同様に左透光パネル３８から所定間隔をおいて配置されることとなる。
【００６２】
さらに、上板部２５の右側周縁部及び右板部２６の上側周縁部の上方の後方位置において、右上側部ＬＥＤ基板４７が右上部取付部材４８を介して取着されている。なお、右上部取付部材４８も係止板５０及び複数の支柱部４９を有しており、各支柱部４９の先端は上板部２５又は右板部２６の背面に当接状態で固定されている。また、右上部取付部材４８の係止板５０は、前記右側部取付部材４０の係止板４１と略面一となるように配置されている。従って、右上部ＬＥＤ基板４７の配置位置と、右側部ＬＥＤ基板４４の配置位置とは前後方向に略同一位置となっている。
【００６３】
さて、前ベース枠２２は、その下部において上記遊技盤５の開口部にはめ込まれる嵌込み部５１と、その上部において嵌込み部５１と連なった上梁部５２とを備えている。嵌込み部５１は、右板部２６の右側周縁部、左板部２７の左側周縁部及び下板部２８の下側周縁部に沿って形成され、略Ｕ字形状となっている。嵌込み部５１及び上梁部５２の周囲には遊技盤５面上に配設される複数のフランジ部５３が形成されている。
【００６４】
上梁部５２は、その両側部が嵌込み部５１の左右両端部より略上方に向かって延出され、その中央部が上に凸の略円弧形状となっている。上梁部５２の前面側には、当該上梁部５２のほぼ全域において、前方に向けて突出した天井部５４が設けられている。天井部５４の頂上部には遊技球Ｂが通過可能な開口部５５が形成されている。
【００６５】
上梁部５２の左側部には内方向に延出された下垂部５７が設けられている。下垂部５７の下側周縁部は、上梁部５２の左端部近傍から右方向に向けて延び、右方向に向かうにつれ上方に向けて緩やかに湾曲し、さらに右方向に向かうにつれ徐々にその傾きが略水平方向、斜め右下方向へとなるように緩やかに湾曲した形状となっており、その右端部が前記開口部５５の右端部の下方位置をやや越えた位置まで達している。また、開口部５５の右端部近傍から下方へ延出された下垂部５７の右側周縁部は、所定位置より前記下側周縁部の右端部に向けて斜め右下がりに傾斜している。
【００６６】
下垂部５７の前面側には各種役物が取着され、背面側には前記役物を駆動させる駆動機構が設けられている。詳しくは、図６に示すように、下垂部５７の背面側には取付凹部６０が形成されている。取付凹部６０内には駆動伝達部材６１が左右方向に摺動可能に取着されている。駆動伝達部材６１は、上下方向に延びる縦軸部６２と、縦軸部６２の下端部より左側（図６における右側）へ摺動方向に沿って延びる左操作部６３と、縦軸部６２の上端部より右側へ摺動方向に沿って延びる右操作部６４とから構成されている。
【００６７】
縦軸部６２には前後方向に貫通し上下方向に長い縦長孔６５が設けられている。左操作部６３と右操作部６４にはそれぞれ前後方向に貫通し摺動方向に長い左長孔６６、右長孔６７が形成されている。当該長孔６６，６７にはそれぞれ下垂部５７の背面側から突出したボス６９，７０が差し込まれている。
【００６８】
下垂部５７には、ボス６９の左側、ボス７０の右側においてそれぞれ前後方向に貫通し摺動方向に長い略円弧状の左円弧長孔７１、右円弧長孔７２が形成されている。各円弧長孔７１，７２は下に凸となる円弧形状となっている。
【００６９】
円弧長孔７１，７２に対応するように、左操作部６３及び右操作部６４の先端部にはそれぞれ前後方向に貫通し上下方向に長い左端長孔７３、右端長孔７４が形成されている。
【００７０】
下垂部５７の背面側には、前記取付凹部６０を覆い、駆動伝達部材６１の脱落を防止する取付カバー７５が取着されている（図２等参照）。取付カバー７５には、上記縦軸部６５の位置に対応して前後方向に貫通した略円形の開口部７５ａが形成されている。
【００７１】
取付カバー７５の背面側には開口部７５ａの後方においてモータ７６が取着されている。モータ７６の回転軸の先端部には開口部７５ａに差し込まれる円盤体７７が取着されている。円盤体７７の前面側にはモータ７６の回転軸線上から外れた位置において前方へ突出した棒状凸部７８が設けられている。棒状凸部７８は上記縦長孔６５に差し込まれている。
【００７２】
一方、下垂部５７の前面側には複数の薄板状の装飾パネル８０が取着され、その前面側には宇宙船をモチーフとした複数の役物が取着されている。上記左円弧長孔７１、右円弧長孔７２の位置に対応してそれぞれ大宇宙船役物８１、中宇宙船役物８２が回動可能に軸支されている。なお、各装飾パネル８０には左円弧長孔７１、右円弧長孔７２に対応した図示しない孔部が形成されている。さらに、中宇宙船役物８２の右側には小宇宙船役物８３が取着されている。下垂部５７の前面側には、透明又は半透明の役物カバー８５が取着されている。役物カバー８５は、下垂部５７と略同一形状で断面凹形状に構成されており、その右側壁部８６は下垂部５７の右側周縁部に沿って傾斜している。
【００７３】
ここで大宇宙船役物８１及び中宇宙船役物８２に関連した構成部分について詳しく説明する。大宇宙船役物８１及び中宇宙船役物８２の上部にはそれぞれ前後方向に貫通した軸孔８７，８８が形成されている。軸孔８７，８８にはそれぞれ軸棒８９，９０が差し込まれている。下垂部５７の前面側及び役物カバー８５の背面側には、軸棒８９を受ける一対の軸受け部９１，９２、軸棒９０を受ける一対の軸受け部９３，９４がそれぞれ相対向するように形成されている。
【００７４】
大宇宙船役物８１及び中宇宙船役物８２の背面側には、それぞれ軸孔８７，８８の下方において、上記左円弧長孔７１、右円弧長孔７２の位置に対応するように棒状の操作子９５，９６が後方に向けて突出形成されている。操作子９５，９６はそれぞれ左円弧長孔７１、右円弧長孔７２を介して上記左端長孔７３、右端長孔７４に差し込まれている。
【００７５】
上記構成に基づき、モータ７６が回転すると、この回転動作が円盤体７７を介して駆動伝達部材６１に伝達され、駆動伝達部材６１が左右方向に往復動する。そして、駆動伝達部材６１の往復動作が操作子９５，９６を介して大宇宙船役物８１、中宇宙船役物８２に伝達される。大宇宙船役物８１、中宇宙船役物８２は軸棒８９，９０を中心に往復回動する。
【００７６】
さて、下垂部５７の下部には、前ベース枠２２の左右方向略中央部において報知表示部１００が取着されている。報知表示部１００は、下垂部５７に固定された基部１０１と、基部１０１の前面側に取着された透光性レンズ１０２と、透光性レンズ１０２の前面側を覆う被覆部１０３と、基部１０１の背面側に取着された報知用ＬＥＤ基板１０４とにより構成されている。
【００７７】
報知用ＬＥＤ基板１０４には複数のＬＥＤ１０５が設けられている。基部１０１には各ＬＥＤ１０５に対応した複数の孔部１０６が形成され、透光性レンズ１０２の前面側には各ＬＥＤ１０５に対応して複数の絵柄が象られている。被覆部１０３には前記各絵柄と略同一形状の絵柄孔１０７が形成されている。
【００７８】
下垂部５７の右側には、上記嵌込み部５１の右端部より上記右板部２６の上側周縁部に沿って延出された天板部１１０が設けられている。天板部１１０の先端部は下垂部５７の右端部に連接されている。天板部１１０の略中央部には上下方向に貫通した監視孔１１２が形成されている。これにより、下垂部５７の右側において長窓部１１３が形成される。長窓部１１３は上記右上部ＬＥＤ基板４７の前方に位置している。
【００７９】
長窓部１１３には当該長窓部１１３と略同一形状の右上透光パネル１１５が取着されている。なお、右上透光パネル１１５の構成は、上記右透光パネル３１や左透光パネル３８とほぼ同様のためその説明を省略する。
【００８０】
さて、前ベース枠２２の右側部には、前記右透光パネル３１及び右上透光パネル１１５の前面側を覆うように透光性（内部視認性）を有する透明又は半透明のレンズカバー１１７が取着されている。レンズカバー１１７は本実施の形態における流路カバーを構成する。本実施の形態では、レンズカバー１１７と、右透光パネル３１及び右上透光パネル１１５とよって囲まれた空間部分によって、上記開口部５５を通過した遊技球Ｂをセンターフレーム２１下部へと案内する球案内流路が形成される。
【００８１】
レンズカバー１１７は、その前面部において、前ベース枠２２の右内側部に沿って湾曲形成された右レンズ部１１８と、右レンズ部１１８の左側部に沿って形成された中レンズ部１１９と、中レンズ部１１９の左側部に沿って形成された左レンズ部１２０とを有している。各レンズ部１１８，１１９，１２０の前記球案内流路に沿った部分は、本実施の形態における可変視認手段を構成する。
【００８２】
各レンズ部１１８，１１９，１２０は、その上端部が上記天井部５４にまで達しており、左右方向の幅が下方に向かうにつれ先細りしている。右レンズ部１１８及び中レンズ部１１９の下端部は上記窓枠部２４の右下端部近傍にまで達しており、左レンズ部１２０の下端部は右中レンズ部１１８，１１９の下端部よりやや上方に位置している。
【００８３】
各レンズ部１１８，１１９，１２０は、その長手方向に対する横断面形状が凸状となる凸レンズであって、当該凸レンズの表面の曲率が下方に向かうにつれ小さくなっていくように構成されている（図７（ａ）〜（ｃ）参照）。なお、各レンズ部１１８，１１９，１２０は、凸レンズの表面の曲率がほぼ無に等しい略平面状の部分が含まれることとしてもよい。この場合、当該部分を介して視認される遊技球Ｂはほぼ実物大の大きさに視認されることとなる。
【００８４】
また、前後方向に対して、各レンズ部１１８，１１９，１２０は、下方に向かうにつれその前面部がより後方へ位置するように緩やかに湾曲している。各レンズ部１１８，１１９，１２０の上端部近傍における前面部は天井部５４の前端部近傍に位置している。右レンズ部１１８及び中レンズ部１１９の下端部は窓枠部２４の前後方向略中央部に位置しており、左レンズ部１２０の下端部は右板部２６の前面部近傍に位置している。
【００８５】
左レンズ部１２０の左側部には、当該左側部から後方へ延出された左側壁部１２１が設けられている。左側壁部１２１の外面には前後方向に沿って延びた複数の直線状凸部１２２が列状に並んで形成されている。
【００８６】
左側壁部１２１は、上記下垂部５７の右端部（上記天板部１１０）より上部分が下垂部５７の形状に合わせて切り欠かれ当該下垂部５７に当接し、それより下部分が前記右板部２６に当接している。
【００８７】
左レンズ部１２０の右側部と中レンズ部１１９の左側部との間には段差が形成されており、中レンズ部１１９がより前方に位置している。当該段差部分には中側壁部１２３が形成されている。
【００８８】
同様に、中レンズ部１１９の右側部と右レンズ部１１８の左側部には段差が形成されており、右レンズ部１１８がより前方へ位置している。当該段差部分には右側壁部１２４が形成されている。また、中右側壁部１２３，１２４の外面には、左側壁部１２１同様に、複数の直線状凸部１２２が形成されている。なお、中側壁部１２３の下端部は遊技球Ｂが通過可能なように切り欠かれている。
【００８９】
左レンズ部１２０の上端部には、上記天井部５４と役物カバー８５との前面側の隙間を覆う被覆部１２５が設けられている。
【００９０】
レンズカバー１１７の背面側には、右レンズ部１１８及び中レンズ部１１９を仕切る右リブ１２６と、中レンズ部１１９及び左レンズ部１２０を仕切る左リブ１２７とが設けられている。これにより、レンズカバー１１７には、右レンズ部１１８、中レンズ部１１９、左レンズ部１２０の背面側において、それぞれ遊技球Ｂが通過可能な右溝部１２８、中溝部１２９、左溝部１３０が形成される。
【００９１】
右リブ１２６及び左リブ１２７は、上記天板部１１０より上部分が切り欠かれ上記右上透光パネル１１５に当接し、それより下部分の一部が上記右透光パネル３１（保護パネル３４）に当接している。
【００９２】
右リブ１２６の長手方向略中央部より下部全域が切り欠かれ、右溝部１２８と中溝部１２９との間を遊技球Ｂが通過可能となっている。また、左リブ１２７の下端部近傍における一部分が切り欠かれ、中溝部１２９と左溝部１３０との間を遊技球Ｂが通過可能となっている。
【００９３】
一方、保護パネル３４の前面側には、右リブ１２６及び左リブ１２７の切り欠き部分に対応して、誘導リブ１３３と規制リブ１３４とが設けられている。誘導リブ１３３及び規制リブ１３４によって本実施の形態における誘導手段が構成される。誘導リブ１３３は、遊技球Ｂを左溝部１３０から中溝部１２９へと誘導可能なように段階的にその傾斜角度を変化させつつ右下がりに形成されている。規制リブ１３４は、誘導リブ１３３によって誘導される遊技球Ｂの右方向へ動きを規制するように上下方向に沿って形成されている。
【００９４】
上記構成により、上記開口部５５を通過した遊技球Ｂは、上記役物カバー８５の右側壁部８６に沿って右方向へ流下し、左溝部１３０内へと導かれる。ここで、遊技者には、左レンズ部１２０を介して実物の大きさより拡大された視認態様の遊技球Ｂが視認される。そして、遊技球Ｂは左溝部１３０に沿って流下し、遊技者には、遊技球Ｂが流下しつつ徐々に小さくなっていくように視認される。続いて、遊技球Ｂは誘導リブ１３３及び規制リブ１３４によって中溝部１２９へと導かれる。そして、遊技球Ｂは右溝部１２８又は中溝部１２９に沿って流下し、遊技者には、右レンズ部１１８又は中レンズ部１１９を介して、遊技球Ｂが流下しつつ徐々に実物大の大きさに戻っていくように視認される。最終的に遊技球Ｂは上記中側壁部１２３の切り欠き部より後述する球転動部としてのステージ部１４５へと排出される。従って、遊技球Ｂが前記球案内流路を通過しつつ、その視認態様が実物より大きく見える態様から略実物大の大きさに見える態様へと変化していき、実物大の大きさに戻った状態で遊技球Ｂが球案内流路から導出されるように遊技者に視認される。すなわち、各レンズ部１１８，１１９，１２０は、遊技球Ｂが通過していくにつれ、遊技球Ｂの視認態様が変化度合いの大きな態様から小さな態様へ変化していくように遊技者に視認されるように構成されていると言うことができる。
【００９５】
一方、後ベース枠２２の左板部２７（左透光パネル３８）の前面側には、装飾カバー１３８が取着されている。装飾カバー１３８は、上記レンズカバー１１７の下部と略左右対称形状となっている。
【００９６】
さて、嵌込み部５１の下部には、上記下板部２８の下側周縁部の形状に合わせて凹部１４０が形成されている。凹部１４０の左右方向略中央部には、遊技球Ｂを上記作動チャッカー１３の方へ誘導可能な誘導路１４１が形成されている。誘導路１４１は、後部が遊技球Ｂほぼ１つ分の幅に、前部が遊技球Ｂ複数個分の幅に構成されている。また、誘導路１４１の前端部には遊技球Ｂが通過可能な開口部１４２が形成されている。
【００９７】
嵌込み部５１の下部には、凹部１４０を覆うステージ部材１４５が取着されている。ステージ部１４５は、左右方向に沿って左右両端部から中央部に向かうにつれ下方へ傾斜し、さらに中央に向かうにつれ上方へ傾斜し、左右方向中央部が凸状に形成されている。当該左右方向中央部（頂上部）には後方に向けて傾斜した傾斜部１４６が形成されている。一方、後ベース枠２３には、傾斜部１４６に対応するように、窓枠部２４及び下板部２８の左右方向略中央部において誘導溝１４７が形成されている。誘導溝１４７は誘導路１４１の後部に連通している。
【００９８】
上記構成により、例えば上記球案内流路より排出された遊技球Ｂはステージ部材１４５上を転動する。一部の遊技球Ｂは傾斜部１４６、誘導溝１４７及び誘導路１４１を通って上記作動チャッカー１３の方へ誘導される。
【００９９】
以上詳述したように、前記球案内流路を通過する遊技球Ｂの視認態様を変化させつつ遊技者に視認させているため、単に球案内流路を通過する遊技球Ｂを遊技者に視認しやすくする場合に比べて、遊技者の注目を引きやすく、遊技球Ｂが球案内流路を通過していることを遊技者に認知させやすくなる。結果として、視認態様を変化させつつ通過していく遊技球Ｂを、遊技者に視認させることにより、遊技者にとっての興趣の飛躍的な向上を図ることができる。
【０１００】
また、各レンズ部１１８，１１９，１２０は、下方に向かうにつれその前面部がより後方へ位置するように緩やかに湾曲した形状となっている。つまり、少なくとも右透光パネル３１の前面側に対応する部分において、各レンズ部１１８，１１９，１２０は下方に向かうにつれ、右透光パネル３１との距離が短くなるように構成されている。従って、遊技球Ｂが右透光パネル３１に沿って流下する場合、当該遊技球Ｂと各レンズ部１１８，１１９，１２０との距離が下方に向かうにつれ短くなる。このため、遊技球Ｂと各レンズ部１１８，１１９，１２０の焦点との位置関係の変化によって、その大きさを実物大より大きなものから徐々に小さく（実物大の大きさに）なっていくように、遊技球Ｂの視認態様を変化させつつ遊技者に視認させることができる。そして、遊技球Ｂの視認態様が実物大の大きさに戻った状態で、遊技球Ｂが球案内流路から導出されるように遊技者に視認される。このようにすれば、球案内流路の内外における遊技球Ｂの視認態様の差が低減されるため、遊技者に対して違和感を極力感じさせないようにすることができる。
【０１０１】
さらに、各レンズ部１１８，１１９，１２０は、その凸レンズの表面の曲率が下方に向かうにつれ小さくなっている。これにより、上記視認態様の変化がより顕著なものとなる。
【０１０２】
上記球案内流路の構成により、ステージ部１４５へ遊技球Ｂが案内されてくることを遊技者に対して報知可能となり、ステージ部１４５における遊技球Ｂの挙動を楽しみにしている遊技者の期待感を高めることができる。
【０１０３】
尚、上述した実施の形態の記載内容に限定されず、例えば次のように実施してもよい。
【０１０４】
（ａ）上記実施の形態では、センターフレーム２１に上記球案内流路が設けられている。これに限らず、球案内流路が遊技盤５面上の他の部分に設けられた構成としてもよい。
【０１０５】
（ｂ）上記実施の形態では、各レンズ部１１８，１１９，１２０による遊技球Ｂの視認態様の変化は、実物より大きく見える態様から実物大に見える態様への変化であるが、視認態様の変化はこれに限られるものではなく、いかなる視認態様の変化でもよい。また、遊技球Ｂが通過していくにつれ、遊技球Ｂの視認態様が変化度合いの大きなものから小さなものへ変化していくように遊技者に視認されるような構成であって、上記実施の形態とは異なる構成であってもよい。例えば、遊技球Ｂの大きさの視認態様の変化に代えて又は加えて、その形状の視認態様が変化する（例えば視認態様の歪み度合いが変化する）ような構成としてもよい。又は、各レンズ部１１８，１１９，１２０の構成を代えて、遊技球Ｂの大きさが実物より小さく見える視認態様から略実物大の大きさに見える視認態様へと変化していくような構成としてもよい。
【０１０６】
（ｃ）各レンズ部１１８，１１９，１２０は、凸レンズに代えて、凹レンズでもよい。
【０１０７】
（ｄ）上記実施の形態では、各レンズ部１１８，１１９，１２０は、下方に向かうにつれその前面部がより後方へ位置するように緩やかに湾曲しているとともに、各レンズ部１１８，１１９，１２０における凸レンズの表面の曲率が下方に向かうにつれ小さくなっている。これに限らず、各レンズ部１１８，１１９，１２０は、凸レンズの表面の曲率が一定で、その前後方向の位置関係だけがその長手方向に沿って変化した構成としてもよいし、逆に、その前後方向の位置関係が一定で、その長手方向に沿って凸レンズの表面の曲率が変化した構成としてもよい。
【０１０８】
（ｅ）上記実施の形態では、各レンズ部１１８，１１９，１２０は、下方に向かうにつれ先細りしているが、これに限らず、その長手方向に沿って幅が一定であってもよいし、下方に向かうにつれ幅が広くなっていく構成としてもよい。但し、遊技球Ｂの視認態様を大きなものから小さなものへと変化させていくのであれば、上述したように、下方に向かうにつれ先細りしている構成の方が、遊技球Ｂが拡大され得る限界幅も下流部に向かうにつれ徐々に短くなっていくため、より好ましい。例えば、遊技球Ｂの視認態様が原型をとどめないくらいにレンズ部１１８等の幅いっぱいに拡大されるように構成した場合、レンズ部１１８等の幅の変化に対応して、遊技球Ｂの視認態様も変化する。すなわち、先細りに対応して視認態様も小さくなっていく。
【０１０９】
（ｆ）上記実施の形態では、レンズカバー１１７は、複数のレンズ部１１８，１１９，１２０を有しており、球案内流路が、複数のレンズ部１１８，１１９，１２０の形成された範囲にまたがって形成されている。これに限らず、所定の球案内流路の全区間又はほぼ全区間に沿って設けられたレンズ部を有するレンズカバーを採用してもよい。このようにすれば、より長い区間、遊技球Ｂの動きを遊技者に視認可能とさせるとともに、連続的に変化する視認態様を遊技者に視認可能とさせることができ、さらなる興趣の向上を図ることができる。
【図面の簡単な説明】
【図１】一実施の形態におけるパチンコ機を示す正面図である。
【図２】センターフレームを示す斜視図である。
【図３】センターフレームを示す正面分解斜視図である。
【図４】センターフレームを示す背面分解斜視図である。
【図５】直線状凸部を示す図である。
【図６】駆動伝達部材等を示す図である。
【図７】（ａ）は図１におけるＡ−Ａ線部分断面図であり、（ｂ）はＢ−Ｂ線部分断面図であり、（ｃ）はＣ−Ｃ線部分断面図である。
【符号の説明】
１…遊技機としてのパチンコ機、５…遊技盤、１３…作動チャッカー、１４…可変表示装置、２０…液晶表示部、２１…センターフレーム、２２…前ベース枠、２３…後ベース枠、３１…右透光パネル、１１５…右上透光パネル、１１７…流路カバーを構成するレンズカバー、１１８…可変視認手段を構成する右レンズ部、１１９…可変視認手段を構成する中レンズ部、１２０…可変視認手段を構成する左レンズ部、１２１…左側壁部、１２３…中側壁部、１２４…右側壁部、１２６…右リブ、１２７…左リブ、１２８…右溝部、１２９…中溝部、１３０…左溝部、１３３…誘導手段を構成する誘導リブ、１３４…経路変更手段を構成する規制リブ、１４５…球転動部を構成するステージ部、Ｂ…遊技球。
【図１】
2004065721.tif 000003
【図２】
2004065721.tif 000004
【図３】
2004065721.tif 000005
【図４】
2004065721.tif 000006
【図５】
2004065721.tif 000007
【図６】
2004065721.tif 000008
【図７】
2004065721.tif 000009